【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
無線通信のための機器であって、
通信リンクのための、最後に送信されたトラフィックデータの所定期間内にさらなるトラフィックデータが送信される限り有効であるリソース割当てを判定し、前記リソース割当てに基づいて前記通信リンクを介してトラフィックデータを交換するように構成される少なくとも１つのプロセッサと、
前記少なくとも１つのプロセッサに結合されたメモリを備える機器。
【請求項２】
前記少なくとも１つのプロセッサは、データが最後に交換されたときから前記所定期間内にさらなるデータが交換されなかったという判定に伴って前記リソース割当てを放棄するように構成される請求項１に記載の機器。
【請求項３】
前記通信リンクはアップリンクであり、前記少なくとも１つのプロセッサはユーザ機器（ＵＥ）において前記アップリンク上で送信すべきデータを受信し、送信すべき前記データを受信したことに応答してリソースを求める要求を送信し、前記要求に応答して前記リソース割当てを受信するように構成される請求項１に記載の機器。
【請求項４】
前記少なくとも１つのプロセッサは、前記リソース割当てに基づいて前記データを送信し、前記データを送信した後に前記所定期間にタイマを設定し、前記タイマが時間切れになっていなくて利用可能であればさらなるデータを送信し、さらなるデータを送信した後に前記所定期間に前記タイマを再設定し、タイマが時間切れになると前記リソース割当てを放棄するように構成される請求項３に記載の機器。
【請求項５】
前記少なくとも１つのプロセッサは、データ表示のない要求を送信して前記所定期間の時間切れ前に前記リソース割当てを終らせるように構成される請求項３に記載の機器。
【請求項６】
前記少なくとも１つのプロセッサは、予期される最後のデータと共に、または最後に送信されたデータの特定期間内にさらなるデータが送信されなかった場合、データ表示のない要求を送信するように構成される請求項５に記載の機器。
【請求項７】
前記通信リンクはアップリンクであり、前記少なくとも１つのプロセッサは、ユーザ機器（ＵＥ）から前記アップリンクのためのリソースを求める要求を受信し、前記要求に応答して前記ＵＥに前記リソース割当てを送信するように構成される請求項１に記載の機器。
【請求項８】
前記少なくとも１つのプロセッサは、前記ＵＥによって前記アップリンク上で送信されたデータを検出するために、前記リソース割当てに基づいて、受信された伝送のブラインド復号を行うように構成される請求項７に記載の機器。
【請求項９】
前記通信リンクはダウンリンクであり、前記少なくとも１つのプロセッサは、ユーザ機器（ＵＥ）に前記ダウンリンク上で送信すべきデータを受信し、前記受信されたデータに基づいて前記ＵＥのための前記リソース割当てを判定し、前記リソース割当てを前記ＵＥに送信するように構成される請求項１に記載の機器。
【請求項１０】
前記少なくとも１つのプロセッサは、前記受信されたデータを前記ＵＥのセル無線ネットワーク一時識別子（Ｃ−ＲＮＴＩ）に基づいて処理し、前記処理されたデータを前記ダウンリンク上で前記ＵＥに送信するように構成される請求項９に記載の機器。
【請求項１１】
前記通信リンクはダウンリンクであり、前記少なくとも１つのプロセッサは、ユーザ機器（ＵＥ）のための前記リソース割当てを受信するために制御チャネルをモニタするように構成される請求項１に記載の機器。
【請求項１２】
前記少なくとも１つのプロセッサは、間欠受信（ＤＲＸ）モードで動作し、前記リソース割当てを受信するために、指定された時間間隔で前記制御チャネルをモニタするように構成される請求項１１に記載の機器。
【請求項１３】
前記少なくとも１つのプロセッサは、前記ダウンリンク上で前記ＵＥに送信されたデータを検出するために、前記リソース割当てに基づいて、受信された伝送のブラインド復号を行うように構成される請求項１１に記載の機器。
【請求項１４】
前記少なくとも１つのプロセッサは、前記リソース割当てに基づいて前記ダウンリンク上でデータを受信し、オンオフキーイング（ＯＯＫ）を使用して、受信されたデータのための肯定応答（ＡＣＫ）または否定応答（ＮＡＫ）を送信するように構成される請求項１１に記載の機器。
【請求項１５】
データがハイブリッド自動再送（ＨＡＲＱ）によってフレームで送信され、各フレームが少なくとも１つのＨＡＲＱ伝送によって送信される請求項１に記載の機器。
【請求項１６】
フレームごとの予期される数のＨＡＲＱ伝送が連続したフレーム間の予期される時間間隔より短いものである請求項１５に記載の機器。
【請求項１７】
前記リソース割当てがフレームごとに１つのＨＡＲＱ伝送をカバーし、フレームごとのＨＡＲＱ伝送の予期される数が１つから２つである請求項１５に記載の機器。
【請求項１８】
無線通信のための方法であって、
通信リンクのための、最後に送信されたトラフィックデータの所定期間内にさらなるトラフィックデータが送信される限り有効であるリソース割当てを判定し、
前記リソース割当てに基づいて前記通信リンクを介してトラフィックデータを交換することを備える方法。
【請求項１９】
前記通信リンクはアップリンクであり、前記リソース割当てを前記判定することが、
ユーザ機器（ＵＥ）において前記アップリンク上で送信すべきデータを受信し、
送信すべき前記データを受信したことに応答してリソースを求める要求を送信し、
前記要求に応答して前記リソース割当てを受信することを備える請求項１８に記載の方法。
【請求項２０】
前記通信リンクを介してデータを前記交換することは、
前記通信リンクを介して送信されたデータを検出するために、前記リソース割当てに基づいて、受信された伝送のブラインド復号を行うことを備える請求項１８に記載の方法。
【請求項２１】
前記通信リンクを介してデータを前記交換することは、
ユーザ機器（ＵＥ）のセル無線ネットワーク一時識別子（Ｃ−ＲＮＴＩ）に基づいてデータを処理し、
前記処理されたデータを、前記通信リンクを介して送信することを備える請求項１８に記載の方法。
【請求項２２】
前記通信リンクを介してデータを前記交換することは、
前記リソース割当てに基づいて通信リンクを介してデータを受信し、
オンオフキーイング（ＯＯＫ）を使用して、受信されたデータのための肯定応答（ＡＣＫ）または否定応答（ＮＡＫ）を送信することを備える請求項１８に記載の方法。
【請求項２３】
無線通信のための機器であって、
通信リンクのための、最後に送信されたトラフィックデータの所定期間内にさらなるトラフィックデータが送信される限り有効であるリソース割当てを判定する手段と、
前記リソース割当てに基づいて前記通信リンクを介してトラフィックデータを交換する手段と
を備える機器。
【請求項２４】
前記通信リンクはアップリンクであり、前記リソース割当てを判定する前記手段は、
ユーザ機器（ＵＥ）において前記アップリンク上で送信すべきデータを受信する手段と、
送信すべき前記データを受信したことに応答してリソースを求める要求を送信する手段と、
前記要求に応答して前記リソース割当てを受信する手段を備える請求項２３に記載の機器。
【請求項２５】
前記通信リンクを介してデータを交換する前記手段は、
前記通信リンクを介して送信されたデータを検出するために、前記リソース割当てに基づいて、受信された伝送のブラインド復号を行う手段を備える請求項２３に記載の機器。
【請求項２６】
前記通信リンクを介してデータを交換する前記手段は、
ユーザ機器（ＵＥ）のセル無線ネットワーク一時識別子（Ｃ−ＲＮＴＩ）に基づいてデータを処理する手段と、
前記処理されたデータを、前記通信リンクを介して送信する手段を備える請求項２３に記載の機器。
【請求項２７】
前記通信リンクを介してデータを交換する前記手段は、
前記リソース割当てに基づいて前記通信リンクを介してデータを受信する手段と、
オンオフキーイング（ＯＯＫ）を使用して、前記受信されたデータのための肯定応答（ＡＣＫ）または否定応答（ＮＡＫ）を送信する手段を備える請求項２３に記載の機器。
【請求項２８】
機械によって実行されるときに、
通信リンクのための、最後に送信されたトラフィックデータの所定期間内にさらなるトラフィックデータが送信される限り有効であるリソース割当てを判定し、
前記リソース割当てに基づいて前記通信リンクを介してトラフィックデータを交換すること
を含む動作を前記機械に行わせる命令を備える機械可読媒体。
【請求項２９】
前記機械によって実行されるときに、
ユーザ機器（ＵＥ）においてアップリンク上で送信すべきデータを受信し、
送信すべき前記データを受信したことに応答してリソースを求める要求を送信し、
前記要求に応答して前記リソース割当てを受信することをさらに含む動作を前記機械に行わせる請求項２８に記載の機械可読媒体。
【請求項３０】
前記機械によって実行されるときに、
前記通信リンクを介して送信されたデータを検出するために、前記リソース割当てに基づいて、受信された伝送のブラインド復号を行うことをさらに含む動作を前記機械に行わせる請求項２８に記載の機械可読媒体。
【請求項３１】
前記機械によって実行されるときに、
ユーザ機器（ＵＥ）のセル無線ネットワーク一時識別子（Ｃ−ＲＮＴＩ）に基づいてデータを処理し、
前記処理されたデータを、前記通信リンクを介して送信することをさらに含む動作を前記機械に行わせる請求項２８に記載の機械可読媒体。
【請求項３２】
前記機械によって実行されるときに、
前記リソース割当てに基づいて前記通信リンクを介してデータを受信し、
オンオフキーイング（ＯＯＫ）を使用して、前記受信されたデータのための肯定応答（ＡＣＫ）または否定応答（ＮＡＫ）を送信することをさらに含む動作を前記機械に行わせる請求項２８に記載の機械可読媒体。
【請求項３３】
無線通信のための機器であって、
ユーザ機器（ＵＥ）においてアップリンク上で送信すべきトラフィックデータを受信し、送信すべき前記トラフィックデータを受信したことに応答してリソースを求める要求を送信し、前記アップリンクのための、最後に送信されたトラフィックデータの所定期間内にさらなるトラフィックデータが送信される限り有効であるリソース割当てを受信し、前記リソース割当てに基づいて前記アップリンク上で前記トラフィックデータを送信するように構成される少なくとも１つのプロセッサと、
前記少なくとも１つのプロセッサに結合されたメモリを備える機器。
【請求項３４】
前記少なくとも１つのプロセッサは、前記アップリンク上で前記データを送信した後に前記所定期間にタイマを設定し、前記タイマが時間切れになっていなくて利用可能であれば前記アップリンク上でさらなるデータを送信し、前記タイマが時間切れになると前記リソース割当てを放棄するように構成される請求項３３に記載の機器。
【請求項３５】
無線通信のための機器であって、
通信リンクのための、最後に送信されたトラフィックデータの所定期間内にさらなるトラフィックデータが送信される限り有効であり半永続的リソース割当てまたは所定の持続時間もしくは特定の伝送の間有効である非永続的リソース割当てを判定し、前記半永続的リソース割当てまたは非永続的リソース割当てに基づいて前記通信リンクを介してトラフィックデータを交換するように構成される少なくとも１つのプロセッサと、
前記少なくとも１つのプロセッサに結合されたメモリを備える機器。
【請求項３６】
前記半永続的リソース割当ては、前記通信リンクを介して交換すべきデータの予期されるスパートのために承認される請求項３５に記載の機器。
【請求項３７】
前記通信リンクはアップリンクであり、前記少なくとも１つのプロセッサは、リソースを求める要求を送信し、リソースを求める前記要求が音声フレームのためである場合に前記半永続的リソース割当てを受信し、リソースを求める前記要求がサイレンスディスクリプタ（ＳＩＤ）フレームのためである場合に前記非永続的リソース割当てを受信するように構成される請求項３５に記載の機器。
【請求項３８】
前記少なくとも１つのプロセッサは、リソースを求める前記要求が音声フレームのためである場合に制御チャネル上で第１のコードワードを送信し、リソースを求める前記要求がＳＩＤフレームのためである場合に前記制御チャネル上で第２のコードワードを送信するように構成される請求項３７に記載の機器。
【請求項３９】
前記通信リンクはアップリンクであり、前記少なくとも１つのプロセッサは、ユーザ機器（ＵＥ）からリソースを求める要求を受信し、リソースを求める前記要求が音声フレームのためである場合に前記ＵＥに前記半永続的リソース割当てを送信し、リソースを求める前記要求がサイレンスディスクリプタ（ＳＩＤ）フレームのためである場合に前記ＵＥに前記非永続的リソース割当てを送信するように構成される請求項３５に記載の機器。
【請求項４０】
前記通信リンクはダウンリンクであり、前記少なくとも１つのプロセッサは、ユーザ機器（ＵＥ）に送信すべき音声フレームがある場合に前記ＵＥに前記半永続的リソース割当てを送信し、前記ＵＥに送信すべきサイレンスディスクリプタ（ＳＩＤ）フレームがある場合に前記ＵＥに前記非永続的リソース割当てを送信するように構成される請求項３５に記載の機器。
【請求項４１】
前記通信リンクはダウンリンクであり、前記少なくとも１つのプロセッサは、前記ダウンリンクのための前記半永続的リソース割当てまたは非永続的リソース割当てを受信するために制御チャネルをモニタするように構成される請求項３５に記載の機器。
【請求項４２】
無線通信のための方法であって、
通信リンクのための、最後に送信されたトラフィックデータの所定期間内にさらなるトラフィックデータが送信される限り有効である半永続的リソース割当てまたは所定の持続時間もしくは特定の伝送の間有効である非永続的リソース割当てを判定し、
前記半永続的リソース割当てまたは非永続的リソース割当てに基づいて前記通信リンクを介してトラフィックデータを交換することを備える方法。
【請求項４３】
前記通信リンクはアップリンクであり、前記半永続的リソース割当てまたは非永続的リソース割当てを前記判定することは、
リソースを求める要求を送信し、
リソースを求める前記要求が音声フレームのためである場合に前記半永続的リソース割当てを受信し、
リソースを求める前記要求がサイレンスディスクリプタ（ＳＩＤ）フレームのためである場合に前記非永続的リソース割当てを受信することを備える請求項４２に記載の方法。
【請求項４４】
前記通信リンクはアップリンクであり、前記半永続的リソース割当てまたは非永続的リソース割当てを前記判定することは、
ユーザ機器（ＵＥ）からリソースを求める要求を受信し、
リソースを求める前記要求が音声フレームのためである場合に前記ＵＥに前記半永続的リソース割当てを送信し、
リソースを求める前記要求がサイレンスディスクリプタ（ＳＩＤ）フレームのためである場合に前記ＵＥに前記非永続的リソース割当てを送信することを備える請求項４２に記載の方法。
【請求項４５】
無線通信のための機器であって、
通信リンクのための、最後に送信されたトラフィックデータの所定期間内にさらなるトラフィックデータが送信される限り有効である半永続的リソース割当てまたは所定の持続時間もしくは特定の伝送の間有効である非永続的リソース割当てを判定する手段と、
前記半永続的リソース割当てまたは非永続的リソース割当てに基づいて前記通信リンクを介してトラフィックデータを交換する手段を備える機器。
【請求項４６】
前記通信リンクはアップリンクであり、前記半永続的リソース割当てまたは非永続的リソース割当てを判定する前記手段は、
リソースを求める要求を送信する手段と、
リソースを求める前記要求が音声フレームのためである場合に前記半永続的リソース割当てを受信する手段と、
リソースを求める前記要求がサイレンスディスクリプタ（ＳＩＤ）フレームのためである場合に前記非永続的リソース割当てを受信する手段を備える請求項４５に記載の機器。
【請求項４７】
前記通信リンクはアップリンクであり、前記半永続的リソース割当てまたは非永続的リソース割当てを判定する前記手段は、
ユーザ機器（ＵＥ）からリソースを求める要求を受信する手段と、
リソースを求める前記要求が音声フレームのためである場合に前記ＵＥに前記半永続的リソース割当てを送信する手段と、
リソースを求める前記要求がサイレンスディスクリプタ（ＳＩＤ）フレームのためである場合に前記ＵＥに前記非永続的リソース割当てを送信する手段を備える請求項４５に記載の機器。